(57)【要約】【課題】  この発明は、構成簡易にして、設計を含む製作上の自由度の向上と共に、使い勝手の向上を図り得るようにすることにある。【解決手段】  第２の筐体６の一端側に第２の軸を挟んで第１及び第２の位置検出部３９１，３９２を設けて、第１の筐体５の他端側における、例えば左側に第３の位置検出部３９３を設け、第１の筐体５の一端側における第１の軸上であって、第２の軸を挟んだ一方側に、第２の筐体６の第２の軸回りの回転位置に応じて上記第１及び第２の位置検出部３９１，３９２により検出される第１の被検出部４０１を設けると共に、第２の筐体６の他端側に第２の軸を挟んで、上記第３の位置検出部３９３により検出される第２及び第３の被検出部４０２，４０３を設け、これら第１乃至第３の位置検出部３９１〜３９３の検出情報に基づいて第２の筐体６の第１の筐体５に対する回転位置を求めるように構成した。【選択図】図２
2008067228.tif 000002
【特許請求の範囲】
【請求項１】
操作入力部の設けられる第１の筐体と、
表示部が設けられる第２の筐体と、
前記第１の筐体の一端と前記第２の筐体の一端とを略直交する第１及び第２の軸回りに回転自在に連結するヒンジ機構と、
前記第２の筐体の一端側に前記第２の軸を挟んで設けられる第１及び第２の位置検出部と、
前記ヒンジ機構に対して他端側であって、前記第１の筐体に設けられる第３の位置検出部と、
前記第２の軸を挟んだ一方側であって、前記ヒンジ機構に設けられ、前記第２の筐体の第２の軸回りの回転位置に応じて前記第１及び第２の位置検出部の一方により検出される第１の被検出部と、
前記第２の筐体の他端側に前記第２の軸を挟んで設けられ、前記第１の筐体と前記第２の筐体が折畳まれた状態において該第２の筐体の第２の軸回りの回転位置に応じて前記第３の位置検出部によりいずれか一方が検出される第２及び第３の被検出部と、
前記第１乃至第３の位置検出部の検出情報に基づいて前記第２の筐体と前記第１の筐体との回転位置を求める制御部と、
を具備することを特徴とする携帯端末。
【請求項２】
操作入力部の設けられる第１の筐体と、
表示部が設けられる第２の筐体と、
前記第１の筐体の一端と前記第２の筐体の一端とを略直交する第１及び第２の軸回り回転自在に連結するヒンジ機構と、
前記第２の筐体の一端側に前記第２の軸を挟んで設けられる第１及び第２の位置検出部と、
前記第２の軸を挟んだ一方側であって、前記ヒンジ機構に設けられ、前記第２の筐体の第２の軸回りの回転位置に応じて前記第１及び第２の位置検出部の一方により検出される第１の被検出部と、
前記第２の筐体の他端側における前記第２の軸上に略設けられる第２の被検出部と、
前記ヒンジ機構に対して他端側であって、前記第１の筐体に設けられ、前記第１の筐体と前記第２の筐体が折畳まれた状態において該第２の筐体の第１の軸回りの回転位置に応じて前記第２の被検出部を検出する第３の位置検出部と、
前記第１乃至第３の位置検出部の検出情報に基づいて前記第２の筐体と前記第１の筐体との回転位置を求める制御部と、
を具備することを特徴とする携帯端末。
【請求項３】
操作入力部の設けられる第１の筐体と、
表示部が設けられる第２の筐体と、
前記第１の筐体の一端と前記第２の筐体の一端とを略直交する第１及び第２の軸回りに回転自在に連結するヒンジ機構と、
前記ヒンジ機構に前記第２の軸を挟んで設けられる第１及び第２の位置検出部と、
前記ヒンジ機構の第２の軸を挟んだ一方側であって、前記第２の筐体の一端部に設けられ、前記第２の筐体の第２の軸回りあるいは第１の軸回りの回転位置に応じて前記第１及び第２の位置検出部の一方に検出される被検出部と、
前記第１の筐体の一端側に前記ヒンジ機構の第２の軸を挟んで設けられ、前記第１の筐体と前記第２の筐体が折畳まれた状態において該第２の筐体の第１の軸回りの回転位置に応じて前記被検出部を検出する第３及び第４の位置検出部と、
前記第１乃至第４の位置検出部の検出情報に基づいて前記第２の筐体と前記第１の筐体との回転位置を求める制御部と、
を具備することを特徴とする携帯端末。
【請求項４】
前記制御部は、前記第１乃至第４の位置検出部の検出情報に基づいて求めた前記第２の筐体と前記第１の筐体との回転位置に応じた効果音を発することを特徴とする請求項１乃至３のいずれか記載の携帯端末。
【請求項５】
さらに、前記第２の筐体の両面側に分離して配置されるスピーカ機能あるいはレシーバー機能に切換え設定可能な第１及び第２の音響出力部を備え、前記制御部で算出した前記第２の筐体の司る回転位置に応じて前記第１及び第２の音響出力部を、スピーカ機能あるいはレシーバー機能に切換え設定することを特徴とする請求項１乃至４のいずれか記載の携帯端末。
【請求項６】
前記ヒンジ機構の第１及び第２の軸のうち第１及び第２の筐体の開閉軸となる軸方向に撮像視野を有した撮像部を備えたことを特徴とする請求項１乃至５のいずれか記載の携帯端末。
【請求項７】
前記表示部が前記撮像部と略同方向を向いたとき、テレビ電話機能が自動起動されることを特徴とする請求項６記載の携帯端末。
【請求項８】
前記表示部が前記撮像部と略逆方向を向いたとき、カメラ機能が自動起動されることを特徴とする請求項６記載の携帯端末。
【発明の詳細な説明】
【技術分野】
【０００１】
この発明は、例えば携帯電話や、携帯型情報機器等の直交する二軸回りに回転可能な携帯端末に関する。
【背景技術】
【０００２】
携帯端末においては、入力部の配置される第１の筐体と、表示部の配置される第２の筐体を、スイーベルヒンジ機構や爪切り型ヒンジ機構を用いて開閉自在な第１の軸と、該第１の軸に対して直交する第２の軸の二軸回りに回転可能に組付けた筐体構成のものがある（例えば、特許文献１参照）。このような携帯端末は、例えば第２の筐体を第１の軸回りに回転させて閉じた携帯スタイルから，通話可能に開いた通話スタイル（及びカメラ撮影スタイル）に設定され、この各使用スタイルから、さらに第２の軸回りに回転させて例えば動画撮影スタイル等に設定される。このように、第１及び第２の筐体は、直交する二軸回りに回転調整されて、各使用に応じたスタイルに可変設定されることにより、各使用に供される。
【特許文献１】特開２００５−２７７６０１号公報（図８、図９）
【発明の開示】
【発明が解決しようとする課題】
【０００３】
しかしながら、上記携帯端末では、例えば第２の筐体を、先ず一軸回りに回転させる携帯スタイル、通話スタイル、さらに、残りの軸回りに回転させた多数の使用スタイルに設定可能なため、その多数の使用スタイルを考慮して受話器（レシーバ）機能や、拡声器（スピーカ）機能等の機能を筐体に配置しなければならないことにより、その設計を含む製作上の自由度が劣るという問題を有する。
【０００４】
この発明は、上記の事情に鑑みてなされたもので、構成簡易にして、直交する二軸回りの回転位置の検出を実現して、設計を含む製作上の自由度の向上と共に、使い勝手の向上を図り得るようにした携帯端末を提供することを目的とする。
【課題を解決するための手段】
【０００５】
この発明は、操作入力部の設けられる第１の筐体と、表示部が設けられる第２の筐体と、
前記第１の筐体の一端と前記第２の筐体の一端とを略直交する第１及び第２の軸回りに回転自在に連結するヒンジ機構と、前記第２の筐体の一端側に前記第２の軸を挟んで設けられる第１及び第２の位置検出部と、前記ヒンジ機構に対して他端側であって、前記第１の筐体に設けられる第３の位置検出部と、前記第２の軸を挟んだ一方側であって、前記ヒンジ機構に設けられ、前記第２の筐体の第２の軸回りの回転位置に応じて前記第１及び第２の位置検出部の一方により検出される第１の被検出部と、前記第２の筐体の他端側に前記第２の軸を挟んで設けられ、前記第１の筐体と前記第２の筐体が折畳まれた状態において該第２の筐体の第２の軸回りの回転位置に応じて前記第３の位置検出部によりいずれか一方が検出される第２及び第３の被検出部と、前記第１乃至第３の位置検出部の検出情報に基づいて前記第２の筐体と前記第１の筐体との回転位置を求める制御部と備えて携帯端末を構成した。
【０００６】
上記構成によれば、制御部には、第１の筐体に対して第２の筐体が、第１及び第２の軸回りに回転されると、その第２の軸回りの回転位置が、第１及び第２の位置検出部と、第１の被検出部とにより検出されて検出情報が入力され、且つ、その第１の軸回りの回転位置が、第３の位置検出器と、第２及び第３の被検出部とにより検出されて検出情報が入力されることにより、この各検出情報に基づいて第２の筐体の第１の筐体に対する第１及び第２の軸回りの回転位置が検出される。
【０００７】
これにより、この第１の筐体に対する第２の筐体の第１及び第２の軸回りの回転位置に基づいて使用スタイルが把握できることにより、使用スタイルを考慮した拡声器等の部品配置が可能となるため、その設計を含む製作上の自由度の向上と共に、使い勝手の向上を図ることが可能となる。
【０００８】
また、この発明は、操作入力部の設けられる第１の筐体と、表示部が設けられる第２の筐体と、前記第１の筐体の一端と前記第２の筐体の一端とを略直交する第１及び第２の軸回りに回転自在に連結するヒンジ機構と、前記第２の筐体の一端側に前記第２の軸を挟んで設けられる第１及び第２の位置検出部と、前記第２の軸を挟んだ一方側であって、前記ヒンジ機構に設けられ、前記第２の筐体の第２の軸回りの回転位置に応じて前記第１及び第２の位置検出部の一方により検出される第１の被検出部と、前記第２の筐体の他端側における前記第２の軸上に略設けられる第２の被検出部と、前記ヒンジ機構に対して他端側であって、前記第１の筐体に設けられ、前記第１の筐体と前記第２の筐体が折畳まれた状態において該第２の筐体の第１の軸回りの回転位置に応じて前記第２の被検出部を検出する第３の位置検出部と、前記第１乃至第３の位置検出部の検出情報に基づいて前記第２の筐体と前記第１の筐体との回転位置を求める制御部とを備えて携帯端末を構成した。
【０００９】
上記構成によれば、制御部には、第１の筐体に対して第２の筐体が、第１及び第２の軸回りに回転されると、その第２の軸回りの回転位置が、第１及び第２の位置検出部と、第１の被検出部とにより検出されて検出情報が入力され、且つ、その第１の軸回りの回転位置が、第３の位置検出器と、第２の被検出部とにより検出されて検出情報が入力されることにより、この各検出情報に基づいて第２の筐体の第１の筐体に対する第１及び第２の軸回りの回転位置が検出される。
【００１０】
これにより、この第１の筐体に対する第２の筐体の第１及び第２の軸回りの回転位置に基づいて使用スタイルが把握できることにより、使用スタイルを考慮した拡声器等の部品配置が可能となるため、その設計を含む製作上の自由度の向上と共に、使い勝手の向上を図ることが可能となる。
【００１１】
また、この発明は、操作入力部の設けられる第１の筐体と、表示部が設けられる第２の筐体と、前記第１の筐体の一端と前記第２の筐体の一端とを略直交する第１及び第２の軸回りに回転自在に連結するヒンジ機構と、前記ヒンジ機構に前記第２の軸を挟んで設けられる第１及び第２の位置検出部と、前記ヒンジ機構の第２の軸を挟んだ一方側であって、前記第２の筐体の一端部に設けられ、前記第２の筐体の第２の軸回りあるいは第１の軸回りの回転位置に応じて前記第１及び第２の位置検出部の一方に検出される被検出部と、前記第１の筐体の一端側に前記ヒンジ機構の第２の軸を挟んで設けられ、前記第１の筐体と前記第２の筐体が折畳まれた状態において該第２の筐体の第１の軸回りの回転位置に応じて前記被検出部を検出する第３及び第４の位置検出部と、前記第１乃至第４の位置検出部の検出情報に基づいて前記第２の筐体と前記第１の筐体との回転位置を求める制御部とを備えて携帯端末を構成した。
【００１２】
上記構成によれば、制御部には、第１の筐体に対して第２の筐体が、第１及び第２の軸回りに回転されると、その第２の軸回りの回転位置が、第１及び第２の位置検出部と、被検出部とにより検出されて検出情報が入力され、且つ、その第１の軸回りの回転位置が、第３及び第４の位置検出器と、前記被検出部とにより検出されて検出情報が入力されることにより、この各検出情報に基づいて第２の筐体の第１の筐体に対する第１及び第２の軸回りの回転位置が検出される。
【００１３】
これにより、この第１の筐体に対する第２の筐体の第１及び第２の軸回りの回転位置に基づいて使用スタイルが把握できることにより、使用スタイルを考慮した拡声器等の部品配置が可能となるため、その設計を含む製作上の自由度の向上と共に、使い勝手の向上を図ることが可能となる。
【発明の効果】
【００１４】
以上述べたように、この発明によれば、構成簡易にして、直交する二軸回りの回転位置の検出を実現して、設計を含む製作上の自由度の向上と共に、使い勝手の向上を図り得るようにした携帯端末を提供することができる。
【発明を実施するための最良の形態】
【００１５】
以下、この発明の実施の形態に係る携帯端末について、図面を参照して詳細に説明する。
【００１６】
図１は、この発明の一実施の形態の適用される携帯電話機の内部構成を示すもので、無線部１、制御部２、入出力部３及び電源部４で構成される。これら無線部１、制御部２、入出力部３及び電源部４は、図２に示す第１及び第２の筐体５，６に分離されて収容配置される。
【００１７】
例えば第１の筐体５には、電話機本体を構成する制御部２、電源部１及び入出力部３の後述するキー入力部３６、撮像用カメラ３１等が収容配置される。そして、この第１の筐体５には、上記第２の筐体６が、スィーベルヒンジ構造や爪切り型ヒンジ構造等のヒンジ機構７の開閉方向である第１の軸７１及び該第１の軸７１と直交する第２の軸７２の二軸回りに選択的に回転自在に組付け配置される。この第２の筐体６には、上記入出力部の表示部３３、無線部１等が収容配置される。このうち表示部３３は、図３に示すように第２の筐体６の内面側に配される表面ＬＣＤ３３２及び第２の筐体６の外面側に配される背面ＬＣＤ３３３で構成される（図３参照）。
【００１８】
上記無線部１は、例えばアンテナ１１、デュプレクサ１２、送信部１３、受信部１４及びシンセサイザ１５で構成され、送信部１３、受信部１４及びシンセサイザ１５は、上記制御部２のマイクロプロセッサ２３に接続される。
【００１９】
制御部２は、例えばＲＯＭ２１、ＲＡＭ２２及び上記マイクロプロセッサ２３で構成される。このうちＲＯＭ２１には、電話機全体の動作を制御する各種プログラムが記憶されている。ＲＡＭ２２は、データ記憶部を構成し、各種ワークメモリとして供される。このうちマイクロプロセッサ２３には、上記入出力部３のカメラ３１、表示駆動部３２、表示部ＬＥＤ３３１、送話器３４、後述する第２の筐体６の回転位置を検出する位置検出手段３９、受話器機能及び拡声器機能の切換え可能な第１の音響出力部３５、キー入力部ＬＥＤ３６１、キー入力部３６、バイブレータ３７、後述する受話器機能及び拡声器機能の切換え可能な第２の音響出力部３８が接続され、これらを動作制御して電話機全体の制御を実行する。
【００２０】
第１の音響出力部３５は、例えば図３に示すように第２の筐体６の表面ＬＣＤ３３２の設けられる内面側の他端部（先端部）に配置され、後述するように上記マイクロプロセッサ２３を介して受話器機能、拡声器機能、機能無効に切換え設定される。そして、第２の音響出力部３８は、第２の筐体６の背面ＬＣＤ３３３の設けられる外面側の他端部（先端部）に，例えば第１の音響出力部３５に対して千鳥状に配置され、後述するように上記マイクロプロセッサ２３を介して第１の音響出力部３５と関連して受話器機能、拡声器機能、機能無効に切換え設定される。
【００２１】
ここで、上記図３は、第２の筐体６を第１の筐体５に対してヒンジ機構７の第１の軸７１（図２参照）回りに回転させて通話スタイルに開いた状態を示すもので、同図（ａ）は、背面側（外面側）から見た状態を示し、同図（ｂ）は、側面から見た状態を示し、同図（ｃ）は、表示面側（内面側）から見た状態を示す。
【００２２】
上記制御部２は、例えば利用者によって、上記第１の筐体５に配置されるキー入力部３６から入力されたデータ及び発信者の電話番号等を、上記第２の筐体６に配置される表示駆動部３２を介して表示部３３の表面ＬＣＤ３３２に表示させたり、送話器３４をから入力された音声、キー入力された電子メール情報、カメラ３１で撮影した映像情報を無線部１から送信する。また、制御部２は、無線部１を介して受信した通話相手の音声、電子メール情報を、例えば表示部３３の表面ＬＣＤ３３２に出力したり、着信情報をバイブレータ３７で行ったり、上記第１及び第２の音響出力部３５，３８で行ったりする。
【００２３】
上記表示部ＬＥＤ３３１は、表面ＬＣＤ３３２及び背面ＬＣＤ３３３を第２の筐体６内から照明する光源を構成する。そして、キー入力部ＬＥＤ３６１は、キー入力部３６を第１の筐体５内から照明する光源を構成する。これら表示部ＬＥＤ３３１及びキー入力部ＬＥＤ３６１は、制御部２からの制御信号に基づいて，利用者が通話操作等を行うために第２の筐体６を第１の筐体５に対して回転させて開いた時、あるいはキー入力部３６から入力した時に点灯される。
【００２４】
また、上記電源部４は、例えば電源４１、充電回路４２、電池４３で構成され、上記無線部４、制御部２及び入出力部４に電力の供給を行う。
【００２５】
次に、上記第２の筐体６の回転位置を検出するための位置検出手段３９の構成について説明する。  
即ち、位置検出手段３９は、例えば上記図２に示すように磁気検出器で構成される第１乃至第３の位置検出部３９１，３９２，３９３と、磁性体で構成される第１乃至第３の被検出部４０１，４０２，４０３で構成される。このうち第１及び第２の位置検出部３９１，３９２は、上記第２の筐体６の一端側（基端側）にヒンジ機構７の第２の軸７２を挟んで設けられる。そして、第３の位置検出部３９３は、第１の筐体５の他端側（先端側）における、例えば左側に設けられる。
【００２６】
そして、第１の被検出部４０１は、上記第１の筐体の一端側（基端側）におけるヒンジ機構７の第１の軸７１上であって、第２の軸７２を挟んだ一方側に上記第１及び第２の位置検出部３９１，３９２に対応して設けられる。これにより、第２の筐体６が第２の軸７２回りに回転されると、上記第１及び第２の位置検出部３９１，３９２は、その一方で第１の被検出部４０１を検出して、その検出情報を上記制御部２のマイクロプロセッサ２３に出力する。
【００２７】
また、上記第２及び第３の被検出部４０２，４０３は、第２の筐体６の他端側（先端側）にヒンジ機構７の第２の軸７２を挟んで上記第３の位置検出器３９３に対応して設けられる。これにより、第２の筐体６が第１の軸７１回りに回転されると、上記第３の位置検出部３９３は、その回転位置に応じて第２及び第３の被検出部４０２，４０３の一方を検出して、その検出情報を上記制御部２のマイクロプロセッサ２３に出力する。
【００２８】
ここで、上記マイクロプロセッサ２３は、第１乃至第３の位置検出部３９１，３９２，３９３からの検出情報に基づいて図４に示す手順で第２の筐体６の使用スタイルを検出して、その検出した使用スタイルに応じて例えば上記第１及び第２の音響出力部３５，３８を、図５に示すように受話器機能、拡声器機能、機能無効に選択的に切換え設定する。
【００２９】
先ず、ステップＳ１において、第１乃至第３の位置検出部３９１，３９２，３９３のいずれかの検出情報に変化があると、ステップＳ２に移行して、その第１の筐体５に対する第２の筐体６の回転位置を判定する。例えば第３の位置検出部３９３が、第２の被検出部４０２を検出した検出情報が入力されると、第２の筐体６が表面ＬＣＤ３３２を内面側にして閉じられたクローズＡとして、図６中においてＡで示すいわゆる携帯スタイルを検出する（ステップＳ３）。そして、ステップＳ４に移行して、内面側に位置する上記第１の音響出力部３５を機能無効に設定して、外面側に位置する第２の音響出力部３８を拡声器機能に設定し、第２の音響出力部３８のみからの音声出力が可能に切換えられる。この携帯スタイルにおいては、送話器３４が第１の音響出力部３５と共に、折畳まれた内面側に対向配置されることで（図７参照）、外面側に位置する第２の音響出力部３８から着信音等の効果音の音声出力が行われる。
【００３０】
そして、ステップＳ２において、第３の位置検出部３９３が、第３の被検出部４０３を検出した検出情報が入力されると、第２の筐体６が第２の軸７２回りに回転されて表面ＬＣＤ３３２が外面側（背面ＬＣＤ３３３が内面側）に位置された状態で、第１の軸７１回りに回転されて閉じられたクローズＥを判定し、図６中においてＥで示す、いわゆるデジカメスタイルを検出する（ステップＳ５）。
【００３１】
そして、ステップＳ６に移行して、外面側に位置される上記第１の音響出力部３５を拡声器機能に設定して、内面側に位置される第２の音響出力部３８を機能無効に設定し、第１の音響出力部３５からのみの音声出力が可能に切換えられる。このデジカメスタイルにおいては、送話器３４が第２の音響出力部３８と共に、折畳まれた内面側に対向配置されることで（図８参照）、第１の音響出力部３５からの着信音等の効果音の音声出力が行われる。
【００３２】
また、ステップＳ２において、第１及び第２の位置検出部３９１，３９２の一方が第１の被検出部４０１を検出した検出情報が入力されると、第２の筐体６が第１の軸７１回りに回転されたオープン状態を判定して、ステップＳ７に移行され、第２の軸７２回りのターン状態が判定される。
【００３３】
ステップＳ７では、第１及び第２の位置検出部３９１，３９２の双方が第１の被検出部４０１を検出できず、検出情報が入力されない状態で、図６中においてＣ、Ｃ´で示す、いわゆるムービースタイルを検出する（ステップＳ８）。
【００３４】
そして、ステップＳ９に移行して、上記第１の音響出力部３５を拡声器機能に設定すると共に、第２の音響出力部３８を拡声器機能に設定して、双方からの音声出力が可能に切換えられる。このムービースタイルにおいては、第１及び第２の音声出力部３５，３８が外面側に位置されることで（図９参照）、双方から音声出力が行われ、ステレオ感を与える。このムービースタイルにおいては、例えばカメラ３１が起動されている場合、いわゆるマクロ撮影モードに設定される。
【００３５】
そして、ステップＳ７において、第１の位置検出部３９１が第１の被検出部４０１を検出して、その検出情報が入力されると、図６中においてＤ、Ｄ´で示す表面ＬＣＤ３３２がキー入力面と逆面側に向いた、いわゆるターンスタイルを検出する（ステップＳ１０）。
【００３６】
そして、ステップＳ１１に移行して、第２の筐体６の表面ＬＣＤ３３２側に位置する上記第１の音響出力部３５を拡声器機能に設定し、背面ＬＣＤ３３３側に位置する第２の音響出力部３８を受話器機能に切換え設定する。ここで、このターンスタイルにおいては、第１及び第２の音響出力部３５，３８、送話器３４が開放状態にあることで（図１０参照）、第２の筐体６の第２の音響出力部３８及び第１の筐体６の送話器３４を用いた通話が可能となる。
【００３７】
また、ステップＳ７において、第２の位置検出部３９２が第１の被検出部４０１を検出して、その検出情報が入力されると、図６中においてＢ、Ｂ´で示す表面ＬＣＤ３３２が内面側に向いた、いわゆる通話スタイルを検出する（ステップＳ１２）。そして、ステップＳ１３に移行して、第２の筐体６の表面ＬＣＤ３３２側に位置する上記第１の音響出力部３５を受話器機能に設定して、第２の筐体５の背面ＬＣＤ３３３側に位置する第２の音響出力部３８を拡声器機能に切換え設定する。この通話スタイルにおいては、第１及び第２の音響出力部３５，３８、送話器３４が開放状態にあることで（図３参照）、第２の筐体６の第１の音響出力部３５及び第１の筐体５の送話器３４を用いた通話が可能となる。
【００３８】
ここで、上記第１乃至第３の位置検出部３９１，３９２，３９３の検出情報が順に入力されない場合には、その軸回りが回転途中にあるものとして、再び、上記ステップ１に戻り、検出情報が取得されるまで、上記各スタイルの検出動作を、繰り返し実行する。そして、所定時間経過後、このスタイルの検出動作を解除して、開時の省電力モードに移行する。
【００３９】
このように、上記携帯端末は、第１の筐体５に対して第１及び第２の軸７１，７２回りに回転自在に支持された第２の筐体６の一端側に第２の軸７２を挟んで第１及び第２の位置検出部３９１，３９２を設けて、第１の筐体５の他端側における、例えば左側に第３の位置検出部３９３を設け、且つ、第１の筐体５の一端側における第１の軸７１上であって、第２の軸７２を挟んだ一方側に、第２の筐体６の第２の軸７２回りの回転位置に応じて上記第１及び第２の位置検出部３９１，３９２により検出される第１の被検出部４０１を設けると共に、第２の筐体６の他端側に第２の軸７２を挟んで、該第２の筐体６の第２の軸７２回りの回転位置に応じて上記第３の位置検出部３９３により検出される第２及び第３の被検出部４０２，４０３を設け、これら第１乃至第３の位置検出部３９１，３９２，３９３の検出情報に基づいて第２の筐体６の第１の筐体５に対する回転位置を求めるように構成した。
【００４０】
これによれば、第１の筐体５に対して第２の筐体６が、第１及び第２の軸７１，７２回りに回転されると、その第２の軸７２回りの回転位置が、第１及び第２の位置検出部３９１，３９２と、第１の被検出部４０１とにより検出され、その第１の軸７１回りの回転位置が、第３の位置検出器３９３と、第２及び第３の被検出部４０２，４０３とにより検出され、この各検出情報に基づいて第２の筐体６の第１の筐体５に対する第１及び第２の軸７１，７２回りの回転位置が検出される。
【００４１】
これにより、簡易な構成を実現したうえで、第１の筐体５に対する第２の筐体６の第１及び第２の軸７１，７２回りの回転位置に基づいて使用スタイルが検出される。この結果、検出した使用スタイルを考慮した拡声器等の部品配置が可能となるため、第１及び第２の筐体５，６の設計を含む製作上の自由度の向上と共に、その使い勝手の向上を図ることが可能となる。
【００４２】
なお、上記実施の形態では、位置検出手段３９を磁気構造の第１乃至第３の位置検出部３９１，３９２，３９３と第１乃至第３の被検出部４０１，４０２，４０３を用いて構成した場合で説明したが、これに限ることなく、その他、光検出構造等の各種の位置検出構造のものを用いて構成することが可能で、同様に有効な効果が期待される。
【００４３】
また、この発明は、上記実施の形態に限ることなく、その他、例えば図１１及び図１２に示すように位置検出手段３９を構成することも可能で、同様に有効な効果を期待することができる。但し、この図１１及び図１２の実施の形態の説明においては、上記図１乃至図１０で説明した実施の形態と同一部分について、同一符号を付して、その詳細な説明を省略する。
【００４４】
図１１に示す位置検出手段３９は、第２の筐体６の一端側にヒンジ機構７の第２の軸７２を挟んで第１及び第２の位置検出部３９１ａ,３９２ａを設けて、第１の筐体５の他端側における、例えば略中央部に第３の位置検出部３９３ａを設ける。そして、第１の筐体５の一端側におけるヒンジ機構７の第１の軸７１上には、第１の被検出部４０１ａが、第２の筐体６の第２の軸７２回りの回転位置に応じて上記第１及び第２の位置検出部３９１ａ,３９２ａの一方により検出可能に設けられる。また、第２の筐体６の他端側におけるヒンジ機構７の第２の軸７２上には、第２の被検出部４０２ａが該第２の筐体６の第１の軸７１回りの回転位置に応じて上記第３の位置検出部３９３ａにより検出可能に設けられる。
【００４５】
これにより、第１の筐体５に対して第２の筐体６が、第１及び第２の軸７１，７２回りに回転されると、その第２の軸７１回りの回転位置が、第１及び第２の位置検出部３９１ａ，３９２ａと、第１の被検出部４０１ａとにより検出される。また、第１の軸７１回りの回転位置が、第３の位置検出器３９３ａと、第２の被検出部４０２ａとにより検出される。そして、この第１乃至第３の位置検出部３９１ａ，３９２ａ，３９３ａの各検出情報は、制御部２のマイクロプロセッサ２３に入力される。マイクロプロセッサ２３は、検出情報に基づいて第２の筐体６の第１の筐体５に対する回転位置を求めて上述したように使用スタイルを検出する。
【００４６】
また、図１２に示す位置検出手段３９は、ヒンジ機構７の第１の軸７１上に第２の軸７２を挟んで第１及び第２の位置検出部３９１ｂ、３９２ｂを設けて、第１の筐体の表面ＬＣＤ３３２の配置面（内面）における一端側にヒンジ機構７の第２の軸７２を挟んで第３及び第４の位置検出部３９３ｂ、３９４ｂを設ける。そして、第２の筐体６の一端部におけるヒンジ機構７の第２の軸７２を挟んだ一方側には、被検出部４０４ｂが第２の筐体６の第２の軸７２回りあるいは第１の軸７１回りの回転位置に応じて上記第１及び第２の位置検出部３９１ｂ、３９２ｂの一方あるいは上記第３及び第４の位置検出部３９３ｂ、３９４ｂの一方に検出可能に設けられる。
【００４７】
これにより、第１の筐体５に対して第２の筐体６が、第１及び第２の軸７１，７２回りに回転されると、その第２の軸７２回りの回転位置が、第１及び第２の位置検出部３９１ｂ,３９２ｂと、被検出部４０４ｂとにより検出される。また、第１の軸７１回りの回転位置が、第３及び第４の位置検出器３９３ｂ,３９４ｂと、被検出部４０４ｂとにより検出される。そして、この第１乃至第４の位置検出部３９１ｂ,３９２ｂ,３９３ｂ,３９４ｂの各検出情報は、制御部２のマイクロプロセッサ２３に入力される。マイクロプロセッサ２３は、検出情報に基づいて第２の筐体６の第１の筐体５に対する回転位置を求めて上述したように使用スタイルを検出する。
【００４８】
さらに、上記実施の形態では、撮像部を構成するカメラ３１を第１の筐体５に設けるように構成した場合で説明したが、これに限ることなく、その他、例えば第２の筐体６に配置するように構成したり、あるいは図１３に示すようにヒンジ機構７の第１及び第２の筐体５，６の開閉軸である第１の軸７１上に軸方向に撮像視野を有して配置するように構成することも可能である。但し、この図１３の実施の形態の説明においては、上記図１乃至図１１で説明した実施の形態と同一部分について、同一符号を付して、その詳細な説明を省略する。
【００４９】
このようにカメラ３１を第１の軸７１上に視野方向を、軸方向に設定して配置構成した場合には、第２の筐体６を第２の軸７２回りに回転させて表面ＬＣＤ３３２を、図１３（ａ）に示すようにカメラ３１の視野方向と同方向に設定することにより、いわゆるテレビ電話機能が自動的に起動される。
【００５０】
そして、第２の筐体６を図１３（ｂ）に示すように第２の軸７２回りに１８０度回転させて、その表面ＬＣＤ３３２とカメラ３１の視野方向が逆方向（背面ＬＣＤ３３３とカメラ３１の視野が同方向）に設定した場合には、カメラ機能が自動的に起動される。これにより、さらに、使い勝手の向上を図ることが可能となる。
【００５１】
また、上記実施の形態では、第２の筐体６の第１の筐体５に対する回転位置に応じて第１及び第２の音響出力部３５，３８を、受話器機能、拡声器機能、機能無効に切換え設定するように構成した場合について説明したが、これに限ることなく、その他の搭載部品の動作制御に適用することも可能である。
【００５２】
さらに、上記実施の形態では、携帯電話機に適用した場合について説明したが、これに限ることなく、例えば携帯型情報機器を含む携帯端末に適用することも可能で、同様の効果が期待できる。
【００５３】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００５４】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００５５】
【図１】この発明の一実施の形態に係る携帯端末の適用された携帯電話機の構成を示したブロック図である。
【図２】図１の位置検出手段の配置状態を示した図である。
【図３】第１及び第２の筐体の通話スタイルにおける第１及び第２の音響出力部の配置構成を示した図である。
【図４】第１及び第２の筐体の使用スタイルの検出手順を説明するために示したフローチャートである
【図５】第１及び第２の筐体の使用スタイルにおける第１及び第２の音響出力部の設定機能を比較して示した図である。
【図６】第１及び第２の筐体の使用スタイル例を示した図である。
【図７】第１及び第２の筐体の携帯スタイルにおける第１及び第２の音響出力部の配置構成を示した図である。
【図８】第１及び第２の筐体のデジカメスタイルにおける第１及び第２の音響出力部の配置構成を示した図である。
【図９】第１及び第２の筐体のムービースタイルにおける第１及び第２の音響出力部の配置構成を示した図である。
【図１０】第１及び第２の筐体のターンスタイルにおける第１及び第２の音響出力部の配置構成を示した図である。
【図１１】この発明の他の実施の形態に係る携帯端末の配置構成を示した図である。
【図１２】この発明の他の実施の形態に係る携帯端末の配置構成を示した図である。
【図１３】この発明の他の実施の形態に係る携帯端末の配置構成を示した図である。
【符号の説明】
【００５６】
１…無線部、１１…アンテナ、１２…デュプレクサ、１３…送信部、１４…受信部、１５…シンセサイザ、２…制御部、２１…ＲＯＭ、２２…ＲＡＭ、２３…マイクロプロセッサ、３…入出力部、３１…カメラ、３２…表示駆動部、３３…表示部、３３１…表示部ＬＥＤ、３３２…表面ＬＣＤ、３３３…背面ＬＣＤ、３４…送話器、３５…第１の音響出力部、３６…キー入力部、３６１…キー入力部ＬＥＤ、３７…バイブレータ、３８…第２の音響出力部、３９…位置検出手段、３９１，３９２，３９３…第１乃至第３の位置検出部、４０１，４０２，４０３…第１乃至第３の被検出部、３９１ａ，３９２ａ，３９３ａ…第１乃至第３の位置検出部、４０１ａ，４０２ａ…第１及び第２の被検出部、３９１ｂ，３９２ｂ，３９３ｂ，３９４ｂ…第１乃至第４の位置検出部、４０４ｂ…被検出部、４…電源部、４１…電源、４２…充電回路、４３…電池、５…第１の筐体、６…第２の筐体、７…ヒンジ機構、７１…第１の軸、７２…第２の軸。
【図１】
2008067228.tif 000003
【図２】
2008067228.tif 000004
【図３】
2008067228.tif 000005
【図４】
2008067228.tif 000006
【図５】
2008067228.tif 000007
【図６】
2008067228.tif 000008
【図７】
2008067228.tif 000009
【図８】
2008067228.tif 000010
【図９】
2008067228.tif 000011
【図１０】
2008067228.tif 000012
【図１１】
2008067228.tif 000013
【図１２】
2008067228.tif 000014
【図１３】
2008067228.tif 000015